(57)【要約】【課題】  本発明は、装着される交換レンズを交換しても、確実に交換レンズの駆動によるノイズを除去することができる技術を提供することを目的とする。【解決手段】  本発明の電子カメラは、撮像レンズを有し交換可能なレンズ部と、レンズ部によって結像される被写体を撮影して画像を生成する撮像部と、音声を受けて音声信号を出力するマイクロホンと、レンズ部の駆動時に生じるレンズ部固有のノイズの位相を反転させた逆位相ノイズ信号を記憶する記憶部と、逆位相ノイズ信号を用いて、マイクロホンが出力する音声信号から固有のノイズを除去するように制御する制御部とを備える。【選択図】      図１
2009260603.tif 000002
【特許請求の範囲】
【請求項１】
撮像レンズを有し交換可能なレンズ部と、
前記レンズ部によって結像される被写体を撮影して画像を生成する撮像部と、
音声を受けて音声信号を出力するマイクロホンと、
前記レンズ部の駆動時に生じる前記レンズ部固有のノイズの位相を反転させた逆位相ノイズ信号を記憶する記憶部と、
前記逆位相ノイズ信号を用いて、前記マイクロホンが出力する前記音声信号から前記固有のノイズを除去するように制御する制御部と、
を備えることを特徴とする電子カメラ。
【請求項２】
請求項１に記載の電子カメラにおいて、
前記制御部は、前記逆位相ノイズ信号を前記音声信号に付加することにより、前記音声信号から前記固有のノイズを除去する
ことを特徴とするカメラ。
【請求項３】
請求項１に記載の電子カメラにおいて、
前記逆位相ノイズ信号による音波を出力するスピーカをさらに備え、
前記制御部は、
前記スピーカに前記逆位相ノイズ信号による前記音波を出力させることで、前記音声から前記固有のノイズを除去することにより、前記音声信号から前記固有のノイズを除去する
ことを特徴とする電子カメラ。
【請求項４】
請求項１ないし請求項３のいずれか１項に記載の電子カメラにおいて、
前記記憶部は、前記レンズ部における複数の駆動動作毎の前記固有のノイズに対応する前記逆位相ノイズ信号をそれぞれ記憶することを特徴とする電子カメラ。
【請求項５】
請求項１ないし請求項４のいずれか１項に記載の電子カメラにおいて、
前記レンズ部は、識別情報を有し、
前記記憶部は、前記逆位相ノイズ信号に対応する前記レンズ部の前記識別情報を付して記憶し、
前記制御部は、装着されている前記レンズ部の前記識別情報に基づいて前記記憶部から前記逆位相ノイズ信号を選択して用いる
ことを特徴とする電子カメラ。
【請求項６】
請求項１ないし請求項４のいずれか１項に記載の電子カメラにおいて、
指示入力を受け付ける入力部をさらに備え、
前記制御部は、前記指示入力に基づいて前記記憶部から前記逆位相ノイズ信号を選択して用いる
ことを特徴とする電子カメラ。
【発明の詳細な説明】
【技術分野】
【０００１】
本発明は、レンズ交換可能で音声記録時におけるレンズ駆動によるノイズを除去することができる電子カメラに関する。
【背景技術】
【０００２】
従来、電子カメラや電子ビデオカメラによる音声記録や動画撮影において、周囲の音声だけでなく、電子カメラや電子ビデオカメラ自身が発するノイズ、特に、撮像レンズの自動焦点調節（ＡＦ）動作や絞り動作等による駆動音まで記録される。そこで、そうした駆動音を除去して、必要な音声のみを記録する様々な方法がこれまでに考えられている。
【０００３】
例えば、特許文献１は、ＡＦ機構や絞り機構等の駆動による駆動音の各々をノイズデータとして予め記録しておき、これらの駆動音を含む音声が記録された音声データに、各々の機構の駆動が予測されるタイミングで、対応する駆動音のノイズデータの逆位相を付加して、そうした駆動音を除去する技術を開示している。
【特許文献１】特開２００５−２２８４００号公報
【発明の開示】
【発明が解決しようとする課題】
【０００４】
しかしながら、従来技術である特許文献１では、例えば、レンズ交換可能な一眼レフ電子カメラのような電子カメラの場合、交換レンズの個体差や種類により、各交換レンズにおけるＡＦ動作等による駆動音は異なるため、全ての交換レンズについてのノイズデータを予めメモリ等に記録しておくことは困難である。
【０００５】
上記従来技術が有する問題に鑑み、本発明の目的は、装着される交換レンズを交換しても、確実に交換レンズの駆動によるノイズを除去することができる技術を提供することにある。
【課題を解決するための手段】
【０００６】
この発明の電子カメラは、撮像レンズを有し交換可能なレンズ部と、レンズ部によって結像される被写体を撮影して画像を生成する撮像部と、音声を受けて音声信号を出力するマイクロホンと、レンズ部の駆動時に生じるレンズ部固有のノイズの位相を反転させた逆位相ノイズ信号を記憶する記憶部と、逆位相ノイズ信号を用いて、マイクロホンが出力する音声信号から固有のノイズを除去するように制御する制御部とを備える。
【０００７】
この発明において、制御部は、逆位相ノイズ信号を音声信号に付加することにより、音声信号から固有のノイズを除去する。
【０００８】
この発明において、逆位相ノイズ信号による音波を出力するスピーカをさらに備え、制御部は、スピーカに逆位相ノイズ信号による音波を出力させることで、音声から固有のノイズを除去することにより、音声信号から固有のノイズを除去する。
【０００９】
この発明において、記憶部は、レンズ部における複数の駆動動作毎の固有のノイズに対応する逆位相ノイズ信号をそれぞれ記憶する。
【００１０】
この発明において、レンズ部は、識別情報を有し、記憶部は、逆位相ノイズ信号に対応するレンズ部の識別情報を付して記憶し、制御部は、装着されているレンズ部の識別情報に基づいて記憶部から逆位相ノイズ信号を選択して用いる。
【００１１】
この発明において、指示入力を受け付ける入力部をさらに備え、制御部は、指示入力に基づいて記憶部から逆位相ノイズ信号を選択して用いる。
【発明の効果】
【００１２】
本発明によれば、装着される交換レンズを交換しても、確実に交換レンズの駆動によるノイズを除去することができる。
【発明を実施するための最良の形態】
【００１３】
≪一の実施形態≫
図１は、本発明の一の実施形態に係る電子カメラ１００の構成図である。電子カメラ１００は、一眼レフ電子カメラ等のレンズ交換が可能な電子カメラで、交換レンズ部５０とカメラ本体７０とから構成される。
【００１４】
交換レンズ部５０は、撮像レンズ１、アイリス２及びメモリ３を有する。なお、図１の交換レンズ部５０の主要部分のみを示す。例えば、図１において、交換レンズ部５０をズーム動作させるズーム環等は省略されている。
【００１５】
撮像レンズ１及びアイリス２は、接続部材を介して後述するカメラ本体７０の駆動部１１にそれぞれ接続され、ＣＰＵ１２の指示に従って、ＡＦ及び絞り動作を行う。
【００１６】
メモリ３は、交換レンズ部５０のシリアルナンバーや型番等の識別情報が記憶されている。メモリ３には、読み出し専用メモリ（ＲＯＭ）等を用いることができる。
【００１７】
カメラ本体７０は、撮像素子４、Ａ／Ｄ変換部５、バッファメモリ６、マイクロホン７、Ａ／Ｄ変換部８、メモリ９、タイミングジェネレータ（ＴＧ）１０、駆動部１１、ＣＰＵ１２、カードインタフェース（カードＩ／Ｆ）１３、操作部材１５、記憶部１６、表示部１７及び信号処理部１８から構成される。ＴＧ１０と駆動部１１とはＣＰＵ１２にそれぞれ接続され、撮像素子４とＡ／Ｄ変換部５とはＴＧ１０にそれぞれ接続されている。また、駆動部１１は、交換レンズ部５０の撮像レンズ１及びアイリス２にそれぞれ接続され、ＣＰＵ１２は、交換レンズ部５０のメモリ３と接続されている。さらに、バッファメモリ６、Ａ／Ｄ変換部８、メモリ９、ＣＰＵ１２、カードＩ／Ｆ１３、操作部材１５、記憶部１６、表示部１７及び信号処理部１８は、バス１９を介して情報伝達可能に接続されている。
【００１８】
撮像素子４は、ＣＰＵ１２の指令を受けてＴＧ１０が発するタイミングパルスに基づいて動作し、前方に設けられた交換レンズ部５０の撮像レンズ１によって結像される被写体像を取得する。撮像素子４には、ＣＣＤやＣＭＯＳの半導体のイメージセンサ等を適宜選択して用いることができる。
【００１９】
撮像素子４からの画像信号は、Ａ／Ｄ変換部５にてデジタル信号に変換されて出力される。なお、撮像素子４は、操作部材１５によって静止画の撮影モードが選択された場合には、操作部材１５による設定に応じて、全画素又は水平又は垂直走査方向に間引いた画素の画像信号を出力する。操作部材１５によって動画の撮影モードが選択された場合には、撮像素子４は、全画素のうち水平又は垂直走査方向に間引いた画素の画像信号を出力する。Ａ／Ｄ変換部５は、撮像素子４とともに、ＣＰＵ１２の指令によりＴＧ１０が発するタイミングパルスに基づいて動作する。その出力結果は、一時的にフレームメモリ（不図示）に記録された後、バッファメモリ６に記録される。なお、バッファメモリ６には、半導体メモリのうち、任意の不揮発性メモリを適宜選択して用いることができる。
【００２０】
マイクロホン７は、電子カメラ１００周囲の音声を捕らえて音声信号に変換する。その音声信号は、Ａ／Ｄ変換部８によってデジタル信号に変換され、バッファメモリ６又はメモリ９に記録される。マイクロホン７は、一般的なマイクロホンを用いることが可能であり、小型のものを用いるのが好ましい。また、メモリ９には、任意の不揮発性メモリを適宜選択して用いることができる。
【００２１】
駆動部１１は、ＣＰＵ１２の指示に基づいて、交換レンズ部５０の撮像レンズ１及びアイリス２をそれぞれ駆動させるとともに、撮像レンズ１又はアイリス２の駆動を行っていることをＣＰＵ１２に知らせる。駆動部１１は、ステッピングモータやリニアモータ等を適宜選択して用いることができる。
【００２２】
ＣＰＵ１２は、ユーザにより操作部材１５の電源釦を介して電子カメラ１００の電源が入れられると、記憶部１６に記憶されている制御プログラムを読み込み、電子カメラ１００を初期化する。ＣＰＵ１２は、操作部材１５を介してユーザからの指示を受け付けると、制御プログラムに基づいて、ＴＧ１０に対して被写体の撮像指令を出したり、撮像した画像の信号処理部１８による処理、カードメモリ１４への記録又は表示部１７への表示等の制御を行う。ＣＰＵ１２には、一般的なコンピュータのＣＰＵが使用できる。
【００２３】
カードＩ／Ｆ１３には、カードメモリ１４が脱着可能に装着される。バッファメモリ６に記録された静止画像や動画は、ＣＰＵ１２の指示に基づいて信号処理部１８で画像処理され、ＪＰＥＧ形式やＹＵＶ形式又はＭＰＥＧ形式等のファイル形式でカードメモリ１４に記録される。
【００２４】
操作部材１５は、ユーザによる部材操作の内容に応じた操作信号をＣＰＵ１２に送る。操作部材１５には、例えば、電源釦、撮影モード等のモード設定釦及びレリーズ釦等の操作部材を有する。
【００２５】
記憶部１６は、ＣＰＵ１２が用いる電子カメラ１００を制御する制御プログラムや撮像された静止画及び動画等を記憶する。記憶部１６に保持されるプログラムや画像は、バス１９を介して、ＣＰＵ１２から適宜参照することができる。記憶部１６は、一般的なハードディスク装置、光磁気ディスク装置または脱着可能なメモリカード等の記憶装置を選択して用いることができる。
【００２６】
表示部１７は、撮影された画像やモード設定画面等を表示する。表示部１７には、液晶モニタ等を適宜選択して用いることができる。
【００２７】
信号処理部１８は、補間処理、輪郭強調処理やホワイトバランス補正等の画像処理や、マイクロホン７によって捕らえる交換レンズ部５０が発するノイズの逆位相を算出したり、その逆位相ノイズを用いてマイクロホン７の音声信号からノイズを除去する信号処理等を行うディジタルフロントエンド回路である。
【００２８】
次に、本実施形態に係る電子カメラ１００の撮影手順について、図２のフローチャートを参照しながら説明する。
【００２９】
ユーザにより操作部材１５の電源釦が押されると、ＣＰＵ１２は、カメラ本体７０の記憶部１６に保持されている制御プログラムを読み込み、電子カメラ１００を初期化する。そして、ＣＰＵ１２は、交換レンズ部５０のメモリ３から交換レンズ部５０の識別情報を読み取る。次に、ユーザが、操作部材１５のモード設定釦を用いて、静止画又は動画の撮影の選択や画質の設定、或いは静止画撮影を選択した場合その撮影前に音声記録を行うか否か等のモード設定を行う。なお、以下の説明では、動画の撮影モードが選択された場合について説明する。静止画の撮影前の音声記録についても同様の手順で行われる。
【００３０】
ステップＳ１０：ＣＰＵ１２は、ユーザからの被写体の撮像指示を受け付けるまで待機する（ＮＯ側）。ユーザによって操作部材１５のレリーズ釦が押されると、ＣＰＵ１２は、撮像指示が出されたと判断しステップＳ１１（ＹＥＳ側）へ移行する。
【００３１】
ステップＳ１１：ＣＰＵ１２が、メモリ９に交換レンズ部５０の識別情報が付加された、交換レンズ部５０がＡＦ及び絞り動作時にそれぞれ発するノイズの逆位相のファイルがあるか否かを判定する。ファイルがない場合、ＣＰＵ１２は、ステップＳ１２（ＮＯ側）へ移行する。ファイルがある場合、ＣＰＵ１２は、ステップＳ１３（ＹＥＳ側）へ移行する。
【００３２】
ステップＳ１２：ＣＰＵ１２は、駆動部１１を介して、交換レンズ部５０に撮像レンズ１のＡＦ動作及びアイリス２の絞り動作をそれぞれ所定の時間行わせる。ＣＰＵ１２は、マイクロホン７を用いて、それぞれの動作による駆動音であるノイズを、メモリ９に一時的に記録する。ＣＰＵ１２は、信号処理部１８に対し、メモリ９に記録されたＡＦ及び絞り動作時のノイズの逆位相を計算させる。なお、ノイズの逆位相を求める演算方法としては、公知の方法を適宜選択して用いることができる。ＣＰＵ１２は、算出したそれぞれのノイズの逆位相データを、交換レンズ部５０の識別情報を付加してメモリ９に記録する。なお、本実施形態では、所定の時間を１秒とする。
【００３３】
ステップＳ１３：ＣＰＵ１２は、交換レンズ部５０の識別情報に基づいて、メモリ９から交換レンズ部５０のＡＦ及び絞り動作によるノイズの逆位相のファイルをそれぞれ読み込む。ＣＰＵ１２は、動画の撮像開始指示をＴＧ１０に対して行うとともに、駆動部１１に対して、交換レンズ部５０の撮像レンズ１のＡＦ動作及びアイリス２の絞り動作の指示を出す。
【００３４】
ステップＳ１４：ＣＰＵ１２は、撮像素子４から動画の各フレームの画像信号を順次出力させて、バス１９を介して信号処理部１８へ転送する。信号処理部１８は、各フレームの画像信号に対して、補間処理、輪郭強調処理及びホワイトバランス補正等の画像処理を行う。これと同時に、ＣＰＵ１２は、マイクロホン７からの音声信号をバス１９を介して信号処理部１８へ転送する。ＣＰＵ１２は、駆動部１１からの撮像レンズ１及びアイリス２の駆動情報に基づいて、信号処理部１８において、それぞれの動作に応じた逆位相ノイズをマイクロホン７からの音声信号に足し合わせることで、交換レンズ部５０からのノイズを除去する。
【００３５】
ステップＳ１５：ＣＰＵ１２は、ステップＳ１４において処理された各フレームの画像と音声信号とを順次圧縮し、バッファメモリ６に動画のファイルとして記録する。ＣＰＵ１２は、動画の撮影終了後、バッファメモリ６に記録された動画のファイルを、バス１９を介して、メモリカード１４や記憶部１６に転送して記録する。ＣＰＵ１２は、一連の動画撮影の作業を終了する。
【００３６】
このように、本実施形態は、交換レンズ部５０のＡＦ及び絞り動作によるそれぞれのノイズの逆位相データをメモリ９に記録し、静止画像撮影前の音声記録や動画の撮影時に、交換レンズ部５０の駆動に応じて、逆位相ノイズをマイクロホン７からの音声信号に足し合わせることで、交換レンズ部５０によるノイズを除去することができる。
【００３７】
また、メモリ９に記録する逆位相ノイズのファイルに、交換レンズ部５０の識別情報を付加することで、装着される交換レンズ部５０を交換しても、確実に交換レンズ部５０固有のノイズを除去することができる。
≪他の実施形態≫
図３は、本発明の他の実施形態に係る電子カメラ２００の構成図である。電子カメラ２００は、一眼レフ電子カメラ等のレンズ交換が可能な電子カメラで、交換レンズ部１５０とカメラ本体１７０とから構成される。
【００３８】
電子カメラ２００が一の実施形態に係る電子カメラ１００と異なる点は、スピーカ２０とＤ／Ａ変換２１とを有し、スピーカ２０をマイクロホン７の近傍に配置されることにある。これにより、スピーカ２０から交換レンズ部１５０によるノイズの逆位相ノイズを出力することで、信号処理部１８での処理に代えて、マイクロホン７が受ける音声から交換レンズ部１５０によるノイズを除去する。
【００３９】
電子カメラ２００の他の構成は、一の実施形態に係る電子カメラ１００と同じであり、同じ動作をする構成要素については同じ番号を付し詳細な説明は省略する。なお、Ｄ／Ａ変換部２１は、交換レンズ部１５０によるノイズの逆位相ノイズをデジタル信号からアナログ信号に変換する。また、スピーカ２０は、一般的なスピーカを用いることが可能であり、小型のものを用いるのが好ましい。さらに、スピーカ２０は、記録した音声や動画の再生時には、それらの音声を出力するのが好ましい。
【００４０】
次に、本実施形態に係る電子カメラ２００の撮影手順について、図４のフローチャートを参照しながら説明する。
【００４１】
一の実施形態と同様に、ユーザにより操作部材１５の電源釦が押されると、ＣＰＵ１２は、カメラ本体１７０の記憶部１６に保持されている制御プログラムを読み込み、電子カメラ２００を初期化する。そして、ＣＰＵ１２は、交換レンズ部１５０のメモリ３から交換レンズ部１５０の識別情報を読み取る。次に、ユーザが、操作部材１５のモード設定釦を用いて、静止画又は動画の撮影の選択や画質の設定、或いは静止画撮影を選択した場合その撮影前に音声記録を行うか否か等のモード設定を行う。なお、以下の説明では、動画撮影のモードが選択された場合について説明する。静止画の撮影前の音声記録についても同様の手順で行われる。
【００４２】
ステップＳ２０：ＣＰＵ１２は、ユーザからの被写体の撮像指示を受け付けるまで待機する（ＮＯ側）。ユーザによって操作部材１５のレリーズ釦が押されると、ＣＰＵ１２は、撮像指示が出されたと判断しステップＳ２１（ＹＥＳ側）へ移行する。
【００４３】
ステップＳ２１：ＣＰＵ１２は、メモリ９に交換レンズ部１５０の識別情報が付加された、交換レンズ部１５０がＡＦ及び絞り動作時にそれぞれ発するノイズの逆位相のファイルがあるか否かを判定する。ファイルがない場合、ＣＰＵ１２は、ステップＳ２２（ＮＯ側）へ移行する。ファイルがある場合、ＣＰＵ１２は、ステップＳ２３（ＹＥＳ側）へ移行する。
【００４４】
ステップＳ２２：ＣＰＵ１２は、駆動部１１を介して、交換レンズ部１５０に撮像レンズ１のＡＦ動作及びアイリス２の絞り動作をそれぞれ所定の時間行わせる。ＣＰＵ１２は、マイクロホン７を用いて、それぞれの動作による駆動音であるノイズを、メモリ９に一時的に記録する。ＣＰＵ１２は、信号処理部１８に対し、メモリ９に記録されたＡＦ及び絞り動作時のノイズの逆位相を計算させる。ＣＰＵ１２は、算出したそれぞれのノイズの逆位相データを、交換レンズ部１５０の識別情報を付加してメモリ９に記録する。なお、本実施形態では、所定の時間を１秒とする。
【００４５】
ステップＳ２３：ＣＰＵ１２は、交換レンズ部１５０の識別情報に基づいて、メモリ９から交換レンズ部１５０のＡＦ及び絞り動作によるノイズの逆位相のファイルをそれぞれ読み込む。ＣＰＵ１２は、動画の撮像開始指示をＴＧ１０に対して行うとともに、駆動部１１に対して、交換レンズ部１５０の撮像レンズ１のＡＦ動作及びアイリス２の絞り動作の指示を出す。ＣＰＵ１２は、駆動部１１からの撮像レンズ１及びアイリス２の駆動情報に基づいて、それぞれの動作に応じた逆位相ノイズをスピーカ２０から出力させる。マイクロホン７は、電子カメラ２００周囲の音声とともに、スピーカ２０からの交換レンズ部１５０の駆動によるノイズの逆位相ノイズを受ける。これにより、マイクロホン７は、交換レンズ部１５０からのノイズが除去された音声信号を出力する。ＣＰＵ１２は、その音声信号をバッファメモリ６へ転送する。
【００４６】
ステップＳ２４：ＣＰＵ１２は、撮像素子４から動画の各フレームの画像信号を順次出力させて、バス１９を介して信号処理部１８へ転送する。信号処理部１８は、各フレームの画像信号に対して、補間処理、輪郭強調処理及びホワイトバランス補正等の画像処理を行う。
【００４７】
ステップＳ２５：ＣＰＵ１２は、ステップＳ２４において処理された各フレームの画像と、ステップＳ２３におけるマイクロホン７からの音声信号とを順次圧縮し、バッファメモリ６に動画のファイルとして記録する。ＣＰＵ１２は、動画の撮影終了後、バッファメモリ６に記録された動画のファイルを、バス１９を介して、メモリカード１４や記憶部１６に転送して記録する。ＣＰＵ１２は、一連の動画撮影の作業を終了する。
【００４８】
このように、本実施形態は、交換レンズ部１５０のＡＦ及び絞り動作によるそれぞれのノイズの逆位相データをメモリ９に記録し、静止画像撮影前の音声記録や動画の撮影時に、交換レンズ部１５０の駆動に応じて逆位相ノイズをスピーカ２０から出力させることで、交換レンズ部１５０の駆動によるノイズを除去することができる。
【００４９】
また、メモリ９に記録する逆位相ノイズのファイルに、交換レンズ部１５０の識別情報を付加することで、装着される交換レンズ部１５０を交換しても、確実に交換レンズ部１５０固有のノイズを除去することができる。
≪実施形態の補足事項≫
一又は他の実施形態において、交換レンズ部５０又は１５０の駆動によるノイズとして、撮像レンズ１のＡＦ動作及びアイリス２の絞り動作によるものとしたが、本発明はこれに限定されない。例えば、交換レンズ部５０又は１５０のズーム動作等によるノイズについても、撮像レンズ１のＡＦ動作及びアイリス２の絞り動作によるノイズとともに、除去することができる。なお、ズーム動作の検出方法としては、例えば、ユーザによるズーム環操作によるズーム動作の場合には、そのズーム環操作を電気信号に変換することで、駆動部１１によるズーム動作の場合には、駆動部１１からの駆動情報を用いることで検出することができる。
【００５０】
なお、一又は他の実施形態において、音声記録や動画撮影の前に、ＣＰＵ１２は、交換レンズ部５０又は１５０の逆位相ノイズのファイルがあるか否かを確認し、ファイルがない場合には逆位相ノイズのファイルを作成したが、本発明はこれに限定されない。例えば、ユーザがレリーズ釦を半押ししたら、ＣＰＵ１２が交換レンズ部５０又は１５０の逆位相ノイズのファイルがあるか否かを確認し、ファイルがない場合には逆位相ノイズのファイルを作成し、その後ユーザがレリーズ釦を押すことで音声記録や動画撮影を開始するようにしても良い。
【００５１】
なお、一又は他の実施形態において、逆位相ノイズのファイルは、全ての交換レンズ５０又は１５０についてメモリ９に記憶されても良いし、使用頻度の低いファイルや一定の期間の間に使用されないファイルはメモリ９から消去するようにしても良い。
【００５２】
なお、一又は他の実施形態において、駆動部１１は、カメラ本体７０又は１７０にあるとしたが、本発明はこれに限定されず、交換レンズ部５０又は１５０に設けられていても良い。
【００５３】
なお、一又は他の実施形態において、メモリ９に交換レンズ部５０又は１５０の逆位相ノイズのファイルがない場合には、ステップＳ１２又はステップＳ２２において、そのファイルを作成するとしたが、本発明はこれに限定されない。例えば、出荷時に、交換レンズ部５０又は１５０の逆位相ノイズのファイルを、予めメモリ９に記憶させても良い。或いは、交換レンズ部５０又は１５０の設計段階等で求められるノイズの理論値等に基づく逆位相ノイズのファイルを、予めメモリ９に記憶させても良い。
【００５４】
なお、一又は他の実施形態において、ＣＰＵ１２は、ステップＳ１３又はステップＳ２３で、交換レンズ部５０又は１５０の識別情報に基づいて、逆位相ノイズのファイルを読み込んだが、本発明はこれに限定されない。例えば、撮影を行う前に、ユーザが、操作部材１５のモード設定釦を用いて、電子カメラ１００又は２００に装着されている交換レンズ部５０又は１５０の識別情報を直接指定し、ＣＰＵ１２は、その指定に基づいて、逆位相ノイズのファイルの読み込んでも良い。
【００５５】
なお、他の実施形態において、スピーカ２０は、マイクロホン７の近傍に配置するようにしたが、本発明はこれに限定されない。例えば、スピーカ２０を駆動部１１の近傍に配置することにより、駆動部１１が発するノイズを直接除去するようにしても良い。
【００５６】
なお、本発明は、その精神またはその主要な特徴から逸脱することなく他の様々な形で実施することができる。そのため、上述した実施形態はあらゆる点で単なる例示にすぎず、限定的に解釈されてはならない。さらに、特許請求の範囲の均等範囲に属する変形や変更は、全て本発明の範囲内である。
【図面の簡単な説明】
【００５７】
【図１】本発明の一の実施形態に係る電子カメラ１００の構成例を示す模式図
【図２】本発明の一の実施形態に係る電子カメラ１００の撮影手順を示すフローチャート
【図３】本発明の他の実施形態に係る電子カメラ２００の構成例を示す模式図
【図４】本発明の他の実施形態に係る電子カメラ２００の撮影手順を示すフローチャート
【符号の説明】
【００５８】
１  撮像レンズ、２  アイリス、３、９  メモリ、４  撮像素子、５、８  Ａ／Ｄ変換部、６  バッファメモリ、７  マイクロホン、１０  ＴＧ、１１  駆動部、１２  ＣＰＵ、１３  カードＩ／Ｆ、１４  カードメモリ、１５  操作部材、１６  記憶部、１７  表示回路、１８  信号処理部、１９  バス、５０  交換レンズ部、７０  カメラ本体、１００  電子カメラ
【図１】
2009260603.tif 000003
【図２】
2009260603.tif 000004
【図３】
2009260603.tif 000005
【図４】
2009260603.tif 000006